(57)【要約】【課題】  遊技機の操作ハンドルの位置を任意に設定できる発射制御ハンドル機構を提供する。【解決手段】  本発明による弾球遊技機における弾球発射装置による弾球の発射強度を制御する発射制御ハンドル機構は、該弾球発射装置に対して弾球の発射強度を回動量によって指令する回動軸の回りに回動自在な操作部を含む操作ハンドルと、該操作ハンドルを先端部において支持する長手棒状体と、該長手棒状体の長手方向において所定間隔を置いて互いに並置された複数の突条と、該突条のうちのいずれか２つの突条の間において該２つの突条に係合し得る係合片と、該長手棒状体の長手方向において該係合片の位置決めをなす位置決め機構と、を有する。【選択図】  図４
2006263015.tif 000002
【特許請求の範囲】
【請求項１】
弾球遊技機における弾球発射装置による弾球の発射強度を制御する発射制御ハンドル機構であって、
前記弾球発射装置に対して弾球の発射強度を回動量によって指令する回動軸の回りに回動自在な操作部を含む操作ハンドルと、
前記操作ハンドルを先端部において支持する長手棒状体と、
前記長手棒状体の長手方向において所定間隔を置いて互いに並置された複数の突条と、
前記突条のうちのいずれか２つの突条の間において前記２つの突条に係合し得る係合片と、
前記長手棒状体の長手方向において前記係合片の位置決めをなす位置決め機構と、を有することを特徴とする発射制御ハンドル機構。
【請求項２】
前記係合片は前記棒状体の長手中心軸方向の周りの円周方向における少なくとも２つの位置において前記突条と係合することを特徴とする請求項１記載の発射制御ハンドル機構。
【発明の詳細な説明】
【技術分野】
【０００１】
本発明は、弾球遊技機の発射制御ハンドル機構に関する。
【背景技術】
【０００２】
弾球遊技機（いわゆるパチンコ機）はその前面側（すなわち遊技者と対向する側）に遊技盤を備えており、遊技盤には弾球（以下、遊技球とも称する）の通路となる入賞口、釘、風車、および遊技図柄を表示する図柄表示装置等の遊技部品が備えられている。遊技盤の右下方には、弾球を遊技盤上へ送り出す操作を制御するための操作ハンドルが設けられている。操作ハンドルには所定の角度範囲内で回動する操作部が設けられており、操作部はバネ等により反時計回り方向へ付勢力が付与された状態で初期位置に配置されている。
【０００３】
操作部は弾球発射装置を駆動せしめる操作スイッチとなっており、操作部を初期位置から時計回り方向に回動せしめることによって弾球発射装置が作動するようになっている。弾球発射装置は、操作部の捻り操作に応じて弾球を叩き打つ打球杵を駆動する球発射機構を含んでいる。かかる打球杵の駆動は電動モータ等によって行われており、操作部の捻り操作量に応じて打力が調整されるようになっている。すなわち、遊技者が操作ハンドルを把持しかつ操作部を時計回り方向へ捻り操作することで、駆動信号が弾球発射装置に供給されて球発射機構が駆動して、打球杵によって操作部の捻り操作量に応じた打力で弾球が叩打される。叩き打たれた弾球は、弾球発射装置に連通しているレールを通って遊技盤の上部に送り込まれるようになっている。
【０００４】
遊技盤上に送り込まれた弾球は、釘等の遊技部品と衝突および反発を繰り返しつつ転動して落下する。かかる落下の途中で遊技球が入賞口を通過すると、所定数の弾球が遊技者に賞球として払い出されるようになっている。また、図柄表示装置が備えられている遊技機は、遊技球が入賞口を通過することを契機として抽選を行い、その抽選結果に応じた遊技図柄が図柄表示装置に表示されることとなっている。
【０００５】
操作部を含む操作ハンドルは遊技機に固定されている故、遊技者が操作ハンドルを把持して操作部を操作するには、操作を行う手（通常右手）を一定範囲の位置に配する必要があった。すなわち、遊技者が操作部を制御するには一定の姿勢を維持しなければならなかった。その結果、遊技者は姿勢を維持することによって疲労してしまい、遊技を集中して楽しむことができない場合があるという問題があった。
【０００６】
そこで、遊技者がリラックスできる姿勢で遊技機を操作することができるように、操作ハンドルを遊技者の手前側（遊技機本体から遊技者に向かう方向）若しくはその逆の奥側（遊技者から遊技機本体に向かう方向）に調整して配置することができる技術が提案されている（特許文献１）。
【０００７】
特許文献１における発射制御ハンドル機構は、操作部と該操作部を回動自在に挟持するハンドルベースおよびキャップとを含むハンドルユニットと、該ハンドルユニットを遊技機の前面側に配置するハンドルホルダと、を有している。かかるハンドルホルダは、遊技機に固定された外筒と、外筒内に挿設されていて外筒内を摺動することができる内筒と、内筒を外筒に対して固定する固定ネジと、を含んでいる。内筒はハンドルホルダを支持している。また、固定ネジの軸部は外筒に設けられた取り付け穴に挿入されていて、固定ネジの軸部の先端を外筒の内側に向けて進行させた場合（すなわち締め付けた場合）に、当該ネジ軸部が内筒に当接して押圧するようになっている。すなわち、固定ネジの押圧力によって、内筒が外筒に対して固定されるようになっている。
【０００８】
かかる構成の発射制御ハンドル機構によれば、内筒を外筒に対して摺動させてハンドルユニットを所望の位置に配置した後に固定ネジを締め付けて内筒を外筒に対して固定することができる。これによって、遊技者はハンドルユニットを遊技者自身の姿勢等に合わせて配置することができる。
【０００９】
また特許文献１には、内筒の筒面に固定ネジの軸部が係合し得る複数の係合穴を所定間隔で摺動方向において一列に設け、固定ネジを締め付けたときに係合穴に当該ネジ軸部を挿入することによって内筒を外筒に対して固定する技術も開示されている。
【特許文献１】特開２００２‐３６０８０２号公報
【発明の開示】
【発明が解決しようとする課題】
【００１０】
ところが、上記の如く固定ネジを内筒に当接せしめて固定する技術によると、ネジと内筒とが接触している部分における摩擦力を上回る力が内筒の摺動方向に加えられた時に、同方向に沿って内筒が移動できてしまう。したがって、外筒に対して内筒を完全に固定することはできなかった。
【００１１】
また、係合穴を設けてこれに固定ネジの軸部を挿入することにより、内筒が外筒に対して摺動することを防止できる。しかしながら、係合穴に固定ネジを挿入するには係合穴の中心と固定ネジの軸部の中心軸との位置合わせが必要となるものの、かかる位置あわせは係合穴の位置は外部から視認できない等の理由により困難であるという問題がある。
【００１２】
さらにまた、ハンドルユニットを遊技者の手前側に近づけた場合、すなわち内筒を外筒から引き出した状態において、内筒の筒面に設けられている係合穴が外部に露出してしまい、かかる露出した係合穴を介してピアノ線等の異物が遊技機内に挿入されるおそれがある。かかる異物の挿入によって、遊技機の制御回路基板への接触行為等の不正行為（いわゆるゴト行為）がなされるおそれがあるという問題がある。
【００１３】
本発明は上述した問題点が一例として挙げられる課題を解決するためになされたものであり、操作ハンドルを所望の位置に配置できる発射制御ハンドル機構を提供することを目的としている。
【課題を解決するための手段】
【００１４】
本発明による発射制御ハンドル機構は、弾球遊技機における弾球発射装置による弾球の発射強度を制御する発射制御ハンドル機構であって、該弾球発射装置に対して弾球の発射強度を回動量によって指令する回動軸の回りに回動自在な操作部を含む操作ハンドルと、該操作ハンドルを先端部において支持する長手棒状体と、該長手棒状体の長手方向において所定間隔を置いて互いに並置された複数の突条と、該突条のうちのいずれか２つの突条の間において該２つの突条に係合し得る係合片と、該長手棒状体の長手方向において該係合片の位置決めをなす位置決め機構と、を有することを特徴とする。
【発明を実施するための最良の形態】
【００１５】
以下、本発明による弾球遊技機の発射制御ハンドル機構について、添付図面を参照しつつ詳細に説明する。なお、弾球遊技機の１例としてパチンコ機を用いて説明する。
【００１６】
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。遊技盤３の遊技球が打ち出される遊技領域３ａの略中央には、所定の入賞ロを遊技球が通過するなどの所定入賞条件に基づいて様々な図柄を変動表示することができる図柄可変表示装置（図示せず）が配置されている。また、図柄可変表示装置の周囲には、釘、風車、始動入賞口、通常入賞口、アタッカ、アウト口等（いずれも図示せず）が設けられている。なお各入賞口（図示せず）内には、遊技球が各入賞口を通過したことを検知する入賞球検知センサ（図示せず）が設けられている。
【００１７】
前面枠４の下方には下扉枠５が設けられている。下扉枠５には、遊技球供給用の供給皿５ａと、遊技球の発射の制御および発射強度を制御するための発射制御ハンドル機構６の操作ハンドル６ａと、が設けられている。操作ハンドル６ａには所定の角度範囲内で回動する操作部７が設けられている。遊技者、すなわち遊技機１の操作者が供給皿５ａに遊技球を投入することによって、遊技球は供給皿５ａ内に設けられた誘導路（図示せず）を介して遊技機１の裏面側に設けられた弾球発射装置（図示せず）に導かれる。操作者は、操作ハンドル６ａの操作部７を所定量回動して弾球発射装置を駆動せしめる。該弾球発射装置は、遊技盤３の遊技領域３ａの上方に向けて遊技球を打ち出す。打ち出された遊技球は遊技領域３ａの上方から流下する途中で入賞口を通過するか、あるいはアウト口から回収されるようになっている。
【００１８】
なお、遊技機１の背面側には、図柄可変表示装置（図示せず）、スピーカー（図示せず）などの音声発生装置（図示せず）等の各種装置を作動させるための制御を行う制御回路装置（図示せず）および球払出装置（図示せず）等がそれぞれ組み付けられている。
【００１９】
図２に示す如く、発射制御ハンドル機構６の操作ハンドル６ａは、操作部７と、ハンドルベース８と、フェイスカバー９とから構成され、ハンドルベース８とフェイスカバー９は、操作部７を回動自在に挟み込んだ状態で固定されている。ハンドルベース８は、有底円筒状体からなっていて、操作部７の回動を弾球発射装置（図示せず）に伝える回動伝達部（図示せず）を受容している。該回動伝達部は、打出強さ調整用ボリューム（図示せず）および調整ギア（図示せず）等からなる。該打出強さ調整用ボリュームは、板状のベース（図示せず）と、該ベースに回動可能に設けられている円柱状軸部（図示せず）とを含む。該ベースはハンドルベース８に固定されている。また、該円柱状軸部は、該調整ギアを介して操作部７と連動するようになっており、操作部７の回動量に応じて回動するようになっている。かかる打出強さ調整用ボリュームは、制御回路装置（図示せず）に電気的に接続されており、該円柱状軸部の回動量に応じた回動量信号を該制御回路装置に供給するようになっている。制御回路装置は、回動量信号に基づいて、操作部７の回動量に対応した駆動信号を該弾球発射装置に供給する。駆動信号を受けた該弾球発射装置は、操作部７の捻り操作に応じて遊技球を叩き打つ球発射機構（図示せず）の打球杵（図示せず）を駆動せしめ、駆動信号に対応した（すなわち操作部７の回動量に応じた）打ち出し強さで遊技球が遊技盤面上に打ち出される。以上のように、操作部７は該弾球発射装置に対して弾球の発射強度を回動量によって指令するのである。
【００２０】
ハンドルベース８には、ねじりバネ（図示せず）の一端が取り付けられている。一方、該ねじりバネの他端は操作部７に固定されており、コイル状に巻回された該ねじりバネの中心部は操作部７を回動する際の回動中心となる操作部７の中心突起部（図示せず）に挿入されている。かかるねじりバネにより、操作部７は反時計回り方向へ付勢力が付与された状態で基準位置に配置されている。なお、基準位置における該打出強さ調整用ボリュームの該円柱状軸部の回動位置が基準回動位置（回動量＝ゼロ）となっている。
【００２１】
ハンドルベース８の底面の外側面には略円筒状の内筒部１０（長手棒状体）の一端が取り付けられている。すなわち、操作ハンドル６ａは、内筒部１０の先端部において支持されている。なお、内筒部１０とハンドルベース８とは一体的に形成されていることとしても良い。
【００２２】
内筒部１０は、遊技機１に固定された略円筒状の外筒部１１内に挿設されていて外筒部１１内を摺動するようになっている。内筒部１０の筒面にはその長手方向において伸長していている溝部１０ａが形成されており、溝部１０ａは、外筒部１１の開口１１ａの内側に向けて突出して設けられている突起部１１ｂに嵌合している。かかる溝部１０ａおよび突起部１１ｂによって、内筒部１０は長手中心軸回りの回転が制御されて長手方向に案内される。
【００２３】
外筒部１１には内筒部１０を外筒部１１に対して位置決めをなしかつ固定する位置決め機構１２が設けられており、位置決め機構１２を構成しかつ当該機構の操作を行う操作つまみ１３が外筒部１１の外側に向けて突出して設けられている。操作つまみ１３は、外筒部１１の筒状面を貫通する貫通孔１４に対して摺動自在であるように挿入されている。なお、かかる位置決め機構１２については、後に詳述する。
【００２４】
図３に示す如く、内筒部１０は、ハンドルベース８が取り付けられている一方の端部（先端部）とは反対側の他方の端部の近傍に、内筒部１０の長手方向において所定の一定間隔を置いて互いに並置された複数の突条１５を備えている。各突条１５は、内筒部１０の円筒面から外側に向けて突出しておりかつ内筒部１０の円筒面上においてその略円周方向に沿って伸長している。なお、ここで突条１５には、内筒部１０の周囲を連続して囲む無端のつば状のものも含まれる。突条群が設けられている領域の範囲は、内筒部１０が摺動する範囲に対応している。なお、内筒部１０のうち、ハンドルベース８が取り付けられている一方の端部（先端部）とは反対側の他方の端部の近傍であり突条群が設けられている位置とは内筒部１０の円周方向において反対側の位置において、内筒部１０が外筒部１１から抜け出さないように抜け止めとなっておりかつ内筒部１０の摺動範囲を規定するストッパ１０ｂが設けられている。ストッパ１０ｂの作用については後述する。
【００２５】
図４および５に示す如く、突条１５のうちのいずれか２つの突条１５の間において、かかる２つの突条１５に係合し得る係合片１６が内筒部１０と外筒部１１との間に配設されている。係合片１６は、例えば図４に示す如く、隣り合う突条１５の間に嵌合するように突条１５の高さおよび間隔に対応した大きさを備えており、かつ突条１５が伸長している方向に平行に配置されている長手状片からなる。かかる係合片１６は、位置決め機構１２に取り付けられており、外筒部１１の長手方向における中間位置において位置決め機構１２を構成する操作つまみ１３と結合している。なお、操作つまみ１３は、外筒部１１の筒面にほぼ垂直な方向への移動が許容されており、内筒部１０が摺動する方向には制限されている。操作つまみ１３を外筒部１１の外側に向けて引っ張ると係合片１６はこれにあわせて内筒部１０側から外筒部１１側に向けて移動し、操作つまみ１３を外筒部１１の内側に向けて押し込むと係合片１６はこれにあわせて外筒部１１側から内筒部１０側に向けて移動するようになっている。なお、操作つまみ１３のストローク、すなわち係合片１６の移動距離は、突条１５の高さよりも大となるように設定されている。
【００２６】
係合片１６の長手方向（内筒部の円周方向）における両端部にはそれぞれバネ部１７の一端が取り付けられており、各バネ部１７の他端は外筒部１１の内側に取り付けられている。かかるバネ部１７は位置決め機構１２を構成しており、バネ部１７は係合片１６を内筒部１０側に向けて付勢するように取り付けられている。従って、操作つまみ１３を操作しない場合においては、係合片１６はバネ部１７によって内筒部１０を押圧している。係合片１７が内筒部１０を押圧している状態において係合片１６が突条１５のうちのいずれか２つの突条１５の間（例えば隣り合うもの同士の間）に配置されていると、係合片１６と突条１５とが係合することとなる。係合片１６は内筒部１０の摺動方向において移動が制限されていることから、内筒部１０は外筒部１１に対して固定される。
【００２７】
なお、外筒部１１の遊技機側の開口１１ｃには、内筒部１０のうちのハンドルベース８が取り付けられている一方の端部（先端部）とは反対側の他方の端部ならびにストッパ１０ｂと接し得るストッパ１１ｄが設けられている。ストッパ１１ｄは、内筒部１０の摺動範囲のうち内筒部１０が遊技機側に向かう範囲を規定している。また、外筒部１１の長手方向における中央部の近傍には、外筒部１１の内側に突出しかつストッパ１０ｂと接し得るストッパ１１ｅが設けられている。ストッパ１１ｅは、内筒部１０の摺動範囲のうち内筒部１０が操作者側に向かう範囲を規定している。以上のように、ストッパ１０ｂ、１１ｄ、１１ｅによって、内筒部１０が外筒部１１から抜け出さないようになっている。
【００２８】
次に、位置決め機構１２を用いた操作ハンドル６ａの位置決めについて説明する。例えば、図４に示す如く、内筒部１０が遊技機側に最も押し込まれている状態において、係合片１６は複数の突条１５のうち最も操作ハンドル側に配置されている突条１５およびこれに隣り合っている突条１５と係合している。操作ハンドル６ａの位置決めは、バネ部１７の付勢力に抗して操作つまみ１３を外筒部１１の外側に向けて引っ張って行われる。操作つまみ１３を外筒部１１の外側に向けて引っ張ることによって、係合片１６が当該２つの突条１５の間から外筒部１１に向かって移動し、係合片１６と突条１５との係合状態が解除される（図６）。係合状態が解除されると内筒部１０は摺動自在となり、操作者は操作ハンドル６ａを好みの位置に移動させることができるようになる。操作ハンドル６ａを任意の位置（例えば図７に示す如く、内筒部が操作者側に向けて最も引き出された位置）に配置したところで、操作つまみ１３を外側に引く操作を止めると、バネ部１７の付勢力によって係合片１６が前述した２つの突条１５の間とは異なる組み合わせの突条１５間に配置される（図７）。この結果、内筒部１０の摺動は制限されて、当該任意の位置に操作ハンドル６ａを配置することができるのである。
【００２９】
以上のように、位置決め機構１２は、内筒部の長手方向において係合片１６の位置決めをなす。これによって、操作者は、操作つまみ１３とバネ部１７とを含む位置決め機構１２を操作して、突条１５と係合片１６とを係合せしめた状態若しくはこれらの係合を解除した状態を選択して、内筒部１０に設けられた突条１５に対して係合片１６の位置決めを行うことができる。換言すれば、操作者は体格等に合わせて好みの位置に操作ハンドル６ａを配置することができる。結果的に、操作者は長時間に亘って遊技機を操作しても疲労感を感じにくくなり、操作部７の操作し易さ等の操作性を向上させることができる。
【００３０】
また、突条１５と係合片１６とによる係合によって内筒部１０の移動が制限されることとなっている故、操作ハンドル６ａの摺動方向に力を加えても操作ハンドル６ａを該摺動方向に移動させることは困難となる。従って、操作ハンドル６ａの固定を確実に行うことができる。
【００３１】
なお、図８に示す如く、操作つまみ１３の操作を終了した際に、突条１５の頂部に係合片１６が乗り上げた状態では、操作ハンドル６ａの固定は完全ではない故、操作ハンドル６ａを操作者から見て手前側（操作者側）若しくは奥側（遊技機側）に移動させることができてしまう。ところが、操作ハンドル６ａを手前側若しくは奥側に僅かに動かすと、バネ部１７による付勢力によって係合片１６は手前側若しくは奥側の突条１５間に配置されることとなる。すなわち、操作者は任意の位置に操作ハンドル６ａを配置して位置決め機構１２の操作を終了した場合に、係合片１６が突条１５間に嵌合しなくても、操作ハンドル６ａを手前側若しくは奥側に僅かに動かすことによって確実にこれらを係合させることができる。
【００３２】
以上のように、位置決め機構１２は係合片１６を突条１５間に確実に位置あわせした時にのみ操作ハンドル６ａを固定することができるという構成ではない故、操作者が操作ハンドル６ａの位置を任意に選択して位置決め機構１２の操作を終了しても、該選択位置若しくはその近傍において操作ハンドル６ａを確実に固定できるのである。すなわち、位置決め機構１２による操作ハンドル６ａの位置あわせの作業を短時間で確実に行うことができる。
【００３３】
なお、上記の如き係合片１６と突条１５との係合をより短時間で行うことができるように、例えば図８に示す如く、突条１５の頂面を凸状の曲面にすることが好ましい。また、図示しないものの、係合片１６が突条１５と係合する係合面のうち、操作つまみ１３側とは反対側の面が凸状の曲面からなることとしても良い。さらにまた、突条１５の頂面および係合片１６の操作つまみ１３側とは反対側の面の双方が凸状の曲面からなることとしても良い。また、外筒部１１の全部又は一部が透明材料からなり、突条１５が外部から視認できるようにしても良い。例えば、図８に示す如く、位置決め機構１２の近傍における外筒部１１に透明材料からなる窓部１１ｆを設けることとしても良い。
（実施例２）
なお、位置決め機構１２は、実施例１の如き構成に限定されない。例えば、図９に示す如く、位置決め機構１２は、梃子機構を利用することができる。
【００３４】
すなわち、係合片１６と操作つまみ１３とは梃子１８を介して結合されており、梃子１８の支点１９を挟んで係合片１６及び操作つまみ１３が配置されている。梃子１８と係合片１６ならびに梃子１８と操作つまみ１３はいずれも回動自在に結合されている。梃子１８の支点１９は、係合片１６に近い方に設けられている。また、梃子１８と係合片１６とが結合している部分の近傍にはバネ部１７の一端が取り付けられており、バネ部１７の他端は外筒部１１に取り付けられている。なお、バネ部１７は梃子１８を外筒部１１に向けて付勢するように取り付けられており、係合片１６はバネ部１７によって内筒部１０側に向けて付勢されている。また、操作つまみ１３は、外筒部１１の筒状面を貫通する貫通孔１４を摺動できるように挿入されている。上記した点を除くその他の構成は、前述した発射制御ハンドル機構６とほぼ同様である。
【００３５】
かかる構成の位置決め機構１２は、操作つまみ部１３を操作しない状態において、バネ部１７の付勢力によって係合片１６を内筒部１０側に押圧する（図９（ａ））。操作つまみ１３を外筒部１１に向けて押し込むと、梃子１８の一端が支点１９の回りを回転移動し、これに応じて梃子１８の他端が支点１９の回りを回転移動する。かかる回転移動によって他端に結合された係合片１６は、内筒部１０から外筒部１１に向かって移動する（図９（ｂ））。操作つまみ１３の押し込みによって係合片１６が突条１５の高さを上回る位置に配置されると、突条１５と係合片１６との係合状態が解除され、内筒部１０は外筒部１１に対して摺動自在になる。すなわち、操作者は操作ハンドル６ａを任意の位置に配置することができる。任意の位置に操作ハンドル６ａを配置した後、操作者が操作つまみ１３の押し込み操作を止めると、バネ部１７によって操作つまみ１３は外筒部１１の外側へ引き出される。これに応じて、梃子１８の一端が支点１９の回りを回転移動し、さらに梃子１８の他端が支点１９の回りを回転移動する。かかる回転移動によって他端に結合された係合片１６は、外筒部１１から内筒部１０に向かって移動して、２つの突条１５の間に配置される。その結果、内筒部１０の摺動が制限されるようになる。上記の如き構成によっても、操作者は操作ハンドルを任意の位置に配置することができる。
（実施例３）
なお、係合片１６は内筒部１１の長手中心軸方向の回りの円周方向における少なくとも２つの位置において突条１５と係合することとしても良い。
【００３６】
例えば、図１０および図１１に示す如く、発射制御ハンドル機構６は内筒部１０と外筒部１１との間に位置決め機構を備えており、位置決め機構はＵ字型のクランプ部２０と、内筒部１０が挿通される筒状となっておりかつＵ字型の空間内でクランプ部２０に挟みこまれるように配置されている係合部２１と、を有している。なお、図１０および図１１において、クランプ部２０はＵ字の開口が右側において開くように配置されているもののこれに限定されず、該開口は任意の向きに開くように配置することができる。
【００３７】
係合部２１は、矩形筒体２２と、矩形筒体２２の筒の内側を介して向き合う位置にある２つの面（例えば図１０および図１１に示す如く矩形筒体２２の上下の面）の一部を貫通している開口部２３と、開口部２３の開口を覆うように矩形筒体２２の外側に配設されておりかつ矩形筒体２２から離れる方向に付勢されている長手状の板バネ２４と、を有している。板バネ２４は、長手方向（内筒部１０の円周方向）の両端部の近傍において長手方向に沿って開けられた長手孔部２４ａを備えていて、長手孔部２４ａに挿通されている係止部２５によって矩形筒体２２に取り付けられている。なお、長手孔部２４ａにおいて、係止部２５は、矩形筒体２２の外部方向に向かって山型となっている板バネ２４を平らに弾性変形させる際に板バネ２４が長手方向に摺動するように設置されている。板バネ２４の長手方向の略中央において矩形筒体２２の内側の内筒部１０に向かって突出している係合片１６が開口部２３の内部に設けられている。
【００３８】
かかる係合部２１に挿通されている内筒部１０には、内筒部１０を挟むように２つの位置（内筒部１０の上下の筒面）に配置されておりかつ筒面から外側に向けて突出している突条１５が設けられている。当該２つの位置における突条１５は、それぞれの位置において、内筒部１０の長手方向において所定の一定間隔を置いて互いに並置されている突条群を構成している。かかる突条１５と係合片１６とは向き合うように配置されている。
【００３９】
クランプ部２０のＵ字型体の一方の端部には、端部の延びる方向と直交する方向でありかつ端部のＵ字の開口の内側（下方から上方）に向けて突出している突出部２０ａが設けられている。また、他方の端部には突出部２０ａと対向していて突出部２０に向かって若しくは離れる方向に直線移動できるネジ締結部２６が設けられている。ネジ締結部２６は外筒部１１の筒状面の上部を貫く貫通孔１４に挿通されており、ネジ締結部２６を操作するためのつまみ２６ａが外筒部１１の外側に配置されている。突出部２０ａおよびネジ締結部２６は、係合部２０ａの板バネ２４の略中央部（山型に弾性変形させた部分）に当接することができるようになっている。その他の構成は、上述した実施例とほぼ同様の構成を有している。
【００４０】
図１０に示す如く、ネジ締結部２６と突出部２０ａとの間のＵ字の開口の間隔が広い場合、すなわちねじ締結部２６が緩められている場合、板バネ２４の付勢力によって、係合片１６は突条１５から離れた位置にある。かかる状態において、内筒部１０は外筒部１１に対して摺動自在であり、操作ハンドル６ａを任意の位置に配置することができる。
【００４１】
ここで、ねじ締結部２６を係合部２１に向かってねじ込む、すなわちネジ締結部２６を締付けることによってＵ字の開口の間隔が狭められて突出部２０ａおよびネジ締結部２６が板バネ２４に当接し、さらに締付け操作を行うことによって板バネ２４の付勢力を上回る締付け力が板バネ２４に付与される。このとき、板バネ２４は締付け力によって変形し、板バネ２４の中央部が内筒部１０に向かう。このとき、板バネ２４は係止部２１に対して摺動し、係合片１６が内筒部１０に向けて進行して突条１５と係合するようになる（図１１）。かかる状態においては、内筒部１０は外筒部１１に対して固定されることとなる。
【００４２】
以上のように、係合片１６が２つの位置において突条１５と係合する構成によっても、任意の位置に操作ハンドル６ａを配置することができる。突条１５と係合片１６との係合位置を複数にすることによって、より確実に内筒部１０を外筒部１１に対して位置決めすることができる。なお、図示しないものの、突出部２０ａはクランプ部２０に対して突出方向において移動自在になっていても良く、例えばねじ締結部２６に向かって若しくは離れる方向に移動できることとしても良い。かかる突出部２０ａは、ねじ締結部２６に連動する連動機構（図示せず）と結合していることとしても良く、例えばねじ締結部２６を突出部２０ａに向かってねじ込む動作に連動して突出部２０ａがねじ締結部２６に向かって移動することとしても良い。
（実施例４）
なお、内筒部１１の長手中心軸方向の回りの円周方向における少なくとも２つの位置において係合片１６が突条１５と係合する形態は、上記の如き構成に限定されない。例えば、内筒部を挟みこむように配置されているＵ字型板バネを用いることとしても良い。
【００４３】
例えば、図１２に示す如く、内筒部１０には、内筒部１０を挟む２つの位置、すなわち内筒部１０を介して対峙する位置に配置されておりかつ筒面から外側に向けて突出している突条１５が内筒部１０の筒面の上下に設けられている。当該対峙する位置における突条１５は、それぞれの位置において、内筒部１０の長手方向において所定の一定間隔を置いて互いに並置されている突条群を構成している。内筒部１０と内筒部１０を挿設している外筒部１１との間において、内筒部１０を挟みこむようにＵ字の内側空間に内筒部１０を据えさせるＵ字型板バネ２７が配置されている。なお、このＵ字型板バネは、図１２に示す如くＵ字の開口が内筒部１０の右側に向かって開くように配置されているもののこれに限定されず、該開口は任意の向きに開くように配置することができる。
【００４４】
Ｕ字型板バネ２７のＵ字の内側は、通常、内筒部１０の外径よりも僅かに大きく開いて内筒部１０の筒面から離れているものの内筒部１０を介して互いに対峙する位置の突条部２５同士の頂部間よりも狭くなっていて、Ｕ字型板バネ２７の一部が当該頂部間に配置されるようになっている。すなわち、かかる対峙した位置のそれぞれにおいて、Ｕ字型板バネ２７のそれぞれの端部は、内筒部１０の長手方向において隣り合う２つの突条１５の間に配置されてこれらと係合し、内筒部１０の摺動を制限している。
【００４５】
かかるＵ字型板バネ２７のＵ字の底部には、Ｕ字の外側、すなわち外筒部１１に向けて突出している操作つまみ１３が結合されている。操作つまみ１３のうちＵ字型板バネ２７との連設部とは反対側の端部は外筒部１１の筒面を貫通する貫通孔１４を介して外筒部１１の外側に突出している。操作つまみ１３は、貫通孔１４を摺動自在になっており、Ｕ字型板バネ２７のＵ字底部をＵ字の内側に向けて押圧することができるようになっている。Ｕ字型バネ２７の先端部は、それぞれ係止部２８によって係止部２８の回りに回動自在に固定されている。
【００４６】
上記の如き構成の発射制御ハンドル機構６は、図１２に示す如く、操作つまみ１３を操作しない状態において、Ｕ字型板バネ２７のそれぞれの端部を内筒部１０の長手方向において隣り合っている突条１５と係合せしめている。すなわち、かかるＵ字型板バネ２７が係合片として作用している。
【００４７】
操作つまみ１３を内筒部１０に向けて押し込むと、図１３に示す如く、Ｕ字型板バネ２７のそれぞれの端部は上下方向に膨張変形して対峙した位置における突条１５よりも広くなり係合しなくなる。すなわち、Ｕ字型板バネ２７による係合片と突条との係合状態が解除される。その結果、内筒部１０は、外筒部１１に対して摺動自在になり、操作者は操作ハンドルを任意の位置に配置することができる。
【００４８】
操作ハンドルの位置を決めた後に操作つまみ１３の操作を終了すると、Ｕ字型板バネ２７は復元力によって操作前の形状に戻り、再度長手方向において隣り合っている突条１５と係合する。従って、内筒部１０の摺動が係合片として作用するＵ字型板バネ２７および突条１５によって制限されて、内筒部１０が外筒部１１に対して固定される。
【００４９】
以上のように、Ｕ字型板バネ２７による係合片が２つの位置において突条１５と係合する構成によっても、任意の位置に操作ハンドルを配置することができる。
【００５０】
なお、突条と係合片は、内筒部の長手円周方向の周りの円周方向において２以上の位置において係合することとしても良い。
【図面の簡単な説明】
【００５１】
【図１】本発明による遊技機の外観斜視図である。
【図２】本発明による発射制御ハンドル機構の外観斜視図である。
【図３】本発明による発射制御ハンドル機構の操作ハンドルの概略側面図である。
【図４】本発明による発射制御ハンドル機構の一部概略断面図である。
【図５】図４の発射制御ハンドル機構のＡ−Ａ線における概略断面である。
【図６】図４の発射制御ハンドル機構のＡ−Ａ線における概略断面である。
【図７】本発明による発射制御ハンドル機構の一部概略断面図である。
【図８】本発明による発射制御ハンドル機構の一部概略断面図である。
【図９】本発明による発射制御ハンドル機構の変形例を示す概略断面図である。
【図１０】本発明による発射制御ハンドル機構の変形例を示す概略断面図である。
【図１１】本発明による発射制御ハンドル機構の変形例を示す概略断面図である。
【図１２】本発明による発射制御ハンドル機構の変形例を示す概略断面図である。
【図１３】本発明による発射制御ハンドル機構の変形例を示す概略断面図である。
【符号の説明】
【００５２】
１  遊技機
６  発射制御ハンドル機構
６ａ  操作ハンドル
７  操作部
１０  内筒部
１１  外筒部
１２  位置決め機構
１３  操作つまみ
１５  突条
１６  係合片
１７  バネ部
１８  梃子
１９  支点
２０  クランプ部
２１  係合部
２２  矩形筒体
２４  板バネ
２６  ネジ締結部
２７  Ｕ字型板バネ
【図１】
2006263015.tif 000003
【図２】
2006263015.tif 000004
【図３】
2006263015.tif 000005
【図４】
2006263015.tif 000006
【図５】
2006263015.tif 000007
【図６】
2006263015.tif 000008
【図７】
2006263015.tif 000009
【図８】
2006263015.tif 000010
【図９】
2006263015.tif 000011
【図１０】
2006263015.tif 000012
【図１１】
2006263015.tif 000013
【図１２】
2006263015.tif 000014
【図１３】
2006263015.tif 000015